(57)【要約】      （修正有）【課題】延長ステップを収納姿勢から使用姿勢に切換えることにより、ぬかるんだ地上に降りることなく延長ステップを利用して操縦部のフロアと畦とに乗り降りすることができ、泥土による操縦部の汚損等を防止することができる作業車両を提供する。【解決手段】操縦部のフロアと地上との間に乗降用のステップ９を備えた作業車両であって、前記乗降用のステップ９を、フロアの下方に設ける常設ステップ１９と、該常設ステップ１９より機体外方に位置する使用姿勢と、機体内方に格納される収納姿勢に切換え可能な延長ステップ２０とによって構成した。【選択図】図４
2011073563.tif 000002
【特許請求の範囲】
【請求項１】
操縦部（６）のフロア（１０）と地上との間に乗降用のステップ（９）を備えた作業車両（１）において、前記乗降用のステップ（９）を、フロア（１０）の下方に設ける常設ステップ（１９）と、該常設ステップ（１９）より機体外方に位置する使用姿勢と、機体内方に格納される収納姿勢に切換え可能な延長ステップ（２０）とによって構成することを特徴とする作業車両。
【請求項２】
延長ステップ（２０）を使用姿勢において車輪の外側面より外側に位置させることを特徴とする請求項１記載の作業車両。
【発明の詳細な説明】
【技術分野】
【０００１】
本発明は、乗降用のステップを備えたトラクタ等の作業車両に関する。
【背景技術】
【０００２】
従来、操縦部のフロア（床面）と地上との間に乗降用のステップを備えたトラクタは既に知られている（例えば特許文献１。）。
【先行技術文献】
【特許文献】
【０００３】
【特許文献１】実開昭６１−１５０６５４号公報
【発明の概要】
【発明が解決しようとする課題】
【０００４】
上記特許文献１で示されるようなトラクタは、乗降用のステップを車輪の外側面（機体幅）より内側に設けている。そのため耕耘作業や代掻き作業を行なっている際に、作業を中断してトラクタから畦に向けて降車する時、又は逆に畦から乗車する場合に、作業者はステップを利用して一旦圃場に降り立つことになる。
然し、この場合圃場がぬかるんでいる時には、作業者は畦からぬかるみの中に降りるので作業靴に泥土が付着することになり、このままステップに足を掛けて操縦部のフロアに乗り込むことになる。このためキャビン内に付着土が持ち込まれることに伴う汚れや、ペダル操作時に土による滑りを生じ易い等の課題がある。
【課題を解決するための手段】
【０００５】
本発明は係る課題を解決するために、第１に、操縦部６のフロア１０と地上との間に乗降用のステップ９を備えた作業車両１において、前記乗降用のステップ９を、フロア１０の下方に設ける常設ステップ１９と、該常設ステップ１９より機体外方に位置する使用姿勢と、機体内方に格納される収納姿勢に切換え可能な延長ステップ２０とによって構成することを特徴としている。
【０００６】
第２に、延長ステップ２０を使用姿勢において車輪の外側面より外側に位置させることを特徴としている。
【発明の効果】
【０００７】
請求項１の発明によれば、代掻き作業等を行なうとき延長ステップを収納姿勢から使用姿勢に切換えておけば、畦からぬかるんだ地上に降りることなく延長ステップを利用して直接、操縦部のフロアに乗り込むことができる。また降車する際にもぬかるみに降りることなくフロアから畦に直接移動することができる。従って、作業靴に泥土を付着させたままでの乗降を防止することができ、泥土による操縦部の汚損等を防止することができる。
【０００８】
請求項２の発明によれば、延長ステップを使用姿勢において車輪の外側面より外側に位置させることにより、機体を畦にあまり近づけることなく延長ステップを畦に接近させることができ、畦を利用した乗降を行い易くすることができる。
【図面の簡単な説明】
【０００９】
【図１】本発明が適用されたトラクタの左側面図である。
【図２】トラクタの平面図である。
【図３】トラクタの正面図である。
【図４】左側のステップの使用姿勢を示す斜視図である。
【図５】左側のステップの左側面図である。
【図６】左側のステップの正面図である。
【図７】右側のステップの収納姿勢を示す斜視図である。
【図８】右側のステップの右側面図である。
【図９】右側のステップの正面図である。
【図１０】別実施形態に関わる左側のステップを使用姿勢にした状態の斜視図である。
【発明を実施するための形態】
【００１０】
本発明の一実施形態を図面に基づいて説明する。符号１は農業用のトラクタを示し、このトラクタ１は前輪２と後輪２ａとを前後左右に有する走行機体３に、前側からエンジン４を配設してボンネット５で覆い、その後方にハンドル及び座席等からなる操縦部６をキャビン７で覆い、機体後部に耕耘装置等の作業機を装着する連結部を備えている。上記操縦部６には作業者が乗降する際に使用する乗降用のステップ９をフロア１０の外側下部に設けている。
【００１１】
図示例における操縦部６のフロア１０は、走行機体３のトランスミッションケース１１に載置した状態で支持されるキャビン７の底板（床板フレーム）１０ａ（図１，図６）の前部側に、ハンドルと操縦座席との間で機体左右に連通する通路となるように形成されている。
またキャビン７は、上記底板１０ａの前後左右に立設したキャビン支柱１２の上部を横フレーム１３で一体的に連結したキャビンフレームとなし、該キャビンフレームを走行機体３に対し防振ゴムを介して前後左右の４箇所で支持したフレーム構造にしている。
【００１２】
そして、キャビン７はキャビン支柱１２及び横フレーム１３の上部に天上板を取付け、前後部にフロントウインドウとリヤウインドウを取付け、且つ左右の開口部を開閉可能に塞ぐドア１５を取付けて構成される。また上記底板１０ａの後部左右には後輪２ａを覆うフェンダ１６を一体的に形成しており、該フェンダ１６の前部外側と前側キャビン支柱１２の下部とを下部フレーム１７で接続し、前記フロア１０の外側端を該下部フレーム１７に載置した状態で接続支持している。
ドア１５は透明板部材によりキャビンフレームの開口部を塞ぐ形状にしており、後部キャビン支柱１２に蝶番を介し開閉回動可能に取付けている。
【００１３】
次に図１〜図９を参照しステップ９について説明する。尚、図面において左右のステップ９，９は同一構造としており、機体左側に設置されるステップ９は使用姿勢にした状態を示し、機体右側に設置されるステップ９は収納姿勢にした状態を示している。
ステップ９は、前記キャビン７の下部フレーム１７に側面視で上向きコ字状に形成されて上端が取付けられる常設ステップ１９と、該常設ステップ１９に使用姿勢と収納姿勢とに切換え可能に支持される延長ステップ２０とからなる（図４）。
【００１４】
図４，図５で示すように常設ステップ１９は、片足を十分に乗せることができる長さのステップ部（足場部材）２１と、その両側に下部フレーム１７に取付けるステップアーム２２を一体的に形成してなる。また常設ステップ１９は踏み面２１を、下部フレーム１７から外側に向けて後輪２ａの外側面より突出しない機体幅内で張出し、地上から所定の高さを有して足を挿入するステップ開口部を形成するように設けられる。
これにより作業者は、ドア１５を開いた状態で地上から片足を踏み面２１に乗せて、フロア１０に簡単に乗り込むことができる。
【００１５】
延長ステップ２０は、平板状の延長踏み面（足場部材）２３の両側に延長ステップアーム２５，２５を一体的に設け、該延長ステップアーム２５，２５の他端をストッパ片２６で接続することにより方形状の剛体枠にしている。そして、延長ステップ２０は延長ステップアーム２５，２５のストッパ片２６寄りの中途部を、前記踏み面２１の裏側両側に突設したブラケット２７，２７に外側から嵌めた状態で、両者にボルト２９，２９を挿入することにより回動可能に連結している。
【００１６】
これにより図４〜図６で示すように延長ステップ２０は、ボルト２９，２９を支点に外側に回動させると、ストッパ片２６が踏み面２１に接当した状態になり、それ以上の下方回動を規制して前記踏み面２１と略同じ高さで延長踏み面２３を、常設ステップ１９より機体外方に位置する使用姿勢にすることができる。即ち実施形態では図２，図３に示すように、延長ステップ２０は使用姿勢において前輪２，後輪２ａ等の車輪の外側面より外側に位置させて保持することができるようにしている。
また延長ステップ２０は上記使用姿勢からボルト２９，２９を支点に上方に回動させると、図７〜図９で示すように延長踏み面２３がステップアーム２２の上部側に接当する位置まで回動した収納姿勢にすることができる。
【００１７】
このとき延長ステップ２０は、ボルト２９による回動支点より機体内方側に傾斜して常設ステップ１９に凭れた状態になるため、走行時の振動による外側に向けての不慮の回動を規制される。尚、延長ステップ２０の回動規制荷重は、ボルト２９，２９に螺挿したダブルナット３０を増し締めすることによって調節することができる。
また延長ステップ２０の収納姿勢においてステップ９は、延長踏み面２３と踏み面２１との間に空間部を形成するので、該空間部に足先を挿入して踏み面２１に片足を掛けフロア１０に乗り込むことができる。
【００１８】
以上のように構成されるステップ９を備えたトラクタ１は、走行や通常の耕耘作業等を行なうときは、延長ステップ２０を収納姿勢にした状態で使用することができる。この場合に踏み面２１は車輪の外側面より内側で機体幅内にあり機外に突出しないため走行の邪魔になることなく作業を行うことができる。また道路や圃場において乗降する際に、作業者は機体に近接した地上位置に立ちキャビン７のフレーム部や取っ手部を把持しながら、片足を踏み面２１に乗せ掛けフロア１０に速やかに乗ることができ、また逆順の動作によってフロア１０から降りることができる。
【００１９】
そして、ぬかるんだ圃場の耕耘作業や代掻き作業を行なうときは乗降に際し、延長ステップ２０を使用姿勢にして使用することができる。この場合に延長踏み面２３は標準的な地上高さの踏み面２１と略同じ地上高さで、機体からの突出量を大きくするように車輪より外方に延長できるため、図３で示すように延長踏み面２３を畦Ａに簡単に接近させることができる。
【００２０】
これにより作業者は、従来のもののようにぬかるんだ地上に降りることなく、足に泥土を付着させたままでの乗降作業を防止しながら、片足を畦Ａから延長踏み面２３に直接乗せ掛けてフロア１０に乗り込むことができる。従って、作業者は畦Ａからフロア１０にそのまま乗るため、キャビン内への付着土の持ち込みを防止でき、汚れの発生やペダル操作時に土による滑りを防ぎ操縦を快適に行うことができる。
また操縦部６から降りる際にも作業者は、延長踏み面２３にフロア１０から片足を乗せ掛けて畦Ａに直接的に降りることができるため、乗降作業を能率よく行うことができる。
【００２１】
尚、上記実施形態のステップ９は、踏み面２１を有するステップアーム２２に対し、延長踏み面２３を有する延長ステップアーム２５，２５を回動させることにより、収納姿勢と使用姿勢とに切換えるようにしたが、この構成に限ることなく例えば、延長ステップ２０をステップアーム２２の下部に対し、左右方向にスライド可能に取付けることによっても行うことができる。
この場合には図１０で示すように、前後のステップアーム２２の下部に支持部材（支持ピン）３１を設けると共に、延長ステップアーム２５，２５に該支持部材３１に係合する係合部（ガイド孔）３２を設けた構成にすると、前記第１実施形態の構成を大きく変更することなく製作することができる。
【００２２】
即ち、図１０のステップ９は、ステップアーム２２の下部に突設した支持ピン３１に対し、延長ステップアーム２５に穿設される長孔状のガイド孔３２を各挿入係合させることにより、常設ステップ１９に対し延長ステップ２０を左右方向にスライド可能に支持することができ、収納姿勢においては踏み面２１を足場部材とし、使用姿勢においては延長踏み面２３を足場部材にすることができる。
尚、この場合に延長ステップ２０の延長踏み面２３は、収納姿勢において踏み面２１の直下に位置させることができるので、踏み面２１を省略することができ、この場合には延長踏み面２３をして、収納姿勢における足場部材に兼用させることができる。
【符号の説明】
【００２３】
１    作業車両（トラクタ）
２    前輪
２ａ  後輪
３    走行機体
６    操縦部
９    ステップ
１０    フロア
１９    ステップ
２０    延長ステップ
２１    踏み面
２２    ステップアーム
２３    延長ステップ面
２５    延長ステップアーム
【図１】
2011073563.tif 000003
【図２】
2011073563.tif 000004
【図３】
2011073563.tif 000005
【図４】
2011073563.tif 000006
【図５】
2011073563.tif 000007
【図６】
2011073563.tif 000008
【図７】
2011073563.tif 000009
【図８】
2011073563.tif 000010
【図９】
2011073563.tif 000011
【図１０】
2011073563.tif 000012